(57)【要約】【課題】通信装置からの送信に対する送信パラメータの判断を改善するための新規な解決策を提供する。【解決手段】アクセスネットワークにより管理される無線リソースを経て通信装置からアクセスネットワーク又は別の通信装置への送信に対する１つ以上の送信パラメータに関する暫定的な判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的な判断の指示を、前記アクセスネットワーク又は前記別の通信装置から受け取る；ことを含む技術。【選択図】図４
2015528653.tif 000002
【特許請求の範囲】
【請求項１】
アクセスネットワークにより管理される無線リソースを経て通信装置からアクセスネットワーク又は別の通信装置への送信に対する１つ以上の送信パラメータに関する暫定的な判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的な判断の指示を、前記アクセスネットワーク又は前記別の通信装置から受け取る；ことを含む方法。
【請求項２】
前記通信装置からの前記送信に対して受信器において、干渉に関して前記アクセスネットワーク又は前記別の通信装置により送信された干渉情報を検出することを含み；及び前記暫定的判断を行うことは、前記アクセスネットワーク又は前記別の通信装置により送信された前記干渉情報に一部分基づく、請求項１に記載の方法。
【請求項３】
前記通信装置からの前記送信のための前記受信器は、受信アンテナのアレイを備え、そして前記干渉情報は、前記受信アンテナ各々又はアンテナのグループにおける干渉に関する情報を含む、請求項２に記載の方法。
【請求項４】
前記通信装置からの前記送信は、別の通信装置へ送られ、更に、前記送信に対する受信器における干渉に関して前記別の通信装置により送信された干渉情報を検出することを含み；及び前記暫定的判断を行うことは、前記別の通信装置により送信された前記干渉情報に一部分基づく、請求項１から３のいずれかに記載の方法。
【請求項５】
前記通信装置から前記アクセスネットワーク又は前記別の通信装置への前記送信に対する送信パラメータに関する最終的な判断の前記指示は、前記暫定的な判断と前記最終的な判断との間の相違の指示を含む、請求項１から４のいずれかに記載の方法。
【請求項６】
前記通信装置から受け取った前記暫定的判断と、１つ以上の他の通信装置から前記アクセスネットワーク又は別の通信装置で受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記アクセスネットワーク又は別の通信装置へ送信することを含む、請求項１から５のいずれかに記載の方法。
【請求項７】
前記通信装置からの送信は、前記アクセスネットワークへのアップリンク送信であり、そして前記通信装置においてどのネットワークセルが前記通信装置との最良の無線リンクを示すか決定し、及び前記ネットワークセルを使用して、前記暫定的判断を前記アクセスネットワークに通信することを更に含む、請求項１から６のいずれかに記載の方法。
【請求項８】
アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ことを含む方法。
【請求項９】
前記通信装置からの前記通信に対する受信器における干渉に関する干渉情報を前記アクセスネットワーク又は別の通信装置から送信することを含み、前記干渉情報は、前記暫定的判断を行うときに前記通信装置により使用するものである、請求項８に記載の方法。
【請求項１０】
前記通信装置からの前記送信に対する前記受信器は、受信アンテナのアレイを備え、そして前記干渉情報は、前記受信アンテナ各々又はアンテナのグループにおける干渉に関する情報を含む、請求項９に記載の方法。
【請求項１１】
前記通信装置から前記アクセスネットワーク又は別の通信装置への前記送信に対する送信パラメータに関する最終的判断の指示は、前記暫定的判断と前記最終的判断との間の相違の指示を含む、請求項８から１０のいずれかに記載の方法。
【請求項１２】
前記通信装置から受け取った前記暫定的判断と、１つ以上の他の通信装置から受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記通信装置から前記アクセスネットワーク又は別の通信装置で受信することを含む、請求項８から１１のいずれかに記載の方法。
【請求項１３】
通信装置でどんな暫定的判断がなされるかに関する１つ以上の送信パラメータは、次のもの、即ち、通信装置からの送信に対する物理的リソースブロックの数；通信装置からの送信に対する周波数及び／又は時間リソース；通信装置からの送信に対する変調及びコード化スキーム；通信装置からの送信に対するトランスポートブロックサイズ；通信装置からの送信に対するＭＩＭＯスキーム；通信装置からの送信に対する送信ランク；及び通信装置からの送信に対するプレコーダーベクトル；のうちの１つ以上を含む、請求項８から１２のいずれかに記載の方法。
【請求項１４】
前記通信装置からの送信は、通信装置にサービスするアクセスノードへのアップリンク送信であり、そして前記通信装置でなされる暫定的判断は、次のもの、即ち、通信装置の送信バッファの現在状態；通信装置と、通信装置にサービスするアクセスノードとの間のリンクの経路ロス推定値；通信装置と、通信装置にサービスするアクセスノードとの間のリンクのチャンネル状態情報；通信装置にサービスするセルの干渉状態；及び通信装置にサービスするセルに隣接する１つ以上のセルにおける干渉状態及び／又はスケジューリングに関する情報；のうちの１つ以上に少なくとも一部分基づいて行われる、請求項８から１３のいずれかに記載の方法。
【請求項１５】
通信装置と、通信装置にサービスするアクセスノードとの間のリンクの前記経路ロス推定値；及び通信装置と、通信装置にサービスするアクセスノードとの間のリンクの前記チャンネル状態情報；の１つ以上は、通信装置にサービスするアクセスノードによりなされる送信の、前記通信装置における測定から導出される、請求項１４に記載の方法。
【請求項１６】
プロセッサと、コンピュータプログラムコードを含むメモリとを備えた装置において、このメモリ及びコンピュータプログラムコードは、プロセッサとで、装置が、アクセスネットワークにより管理される無線リソースを経て通信装置からアクセスネットワーク又は別の通信装置への送信に対する１つ以上の送信パラメータに関する暫定的判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ようにさせるよう構成された装置。
【請求項１７】
前記メモリ及びコンピュータプログラムコードは、プロセッサとで、装置が、前記通信装置からの前記送信に対して受信器において、干渉に関して前記アクセスネットワーク又は前記別の通信装置により送信された干渉情報を検出するようにさせるよう更に構成され；及び前記暫定的判断を行うことは、前記アクセスネットワーク又は前記別の通信装置により送信された前記干渉情報に一部分基づく、請求項１６に記載の装置。
【請求項１８】
前記通信装置からの前記送信のための前記受信器は、受信アンテナのアレイを備え、そして前記干渉情報は、前記受信アンテナの各々又はアンテナのグループにおける干渉に関する情報を含む、請求項１７に記載の装置。
【請求項１９】
前記通信装置からの前記送信は、別の通信装置へ送られ、前記メモリ及びコンピュータプログラムコードは、プロセッサとで、装置が、前記送信に対する受信器における干渉に関して前記別の通信装置により送信された干渉情報を検出するようにさせるよう更に構成され；そして前記暫定的判断を行うことは、前記別の通信装置により送信された前記干渉情報に一部分基づく、請求項１６から１８のいずれかに記載の装置。
【請求項２０】
前記通信装置から前記アクセスネットワーク又は前記別の通信装置への前記送信に対する送信パラメータに関する最終的な判断の前記指示は、前記暫定的な判断と前記最終的な判断との間の相違の指示を含む、請求項１６から１９のいずれかに記載の装置。
【請求項２１】
前記メモリ及びコンピュータプログラムコードは、プロセッサとで、装置が、前記通信装置から受け取った前記暫定的判断と、１つ以上の他の通信装置から前記アクセスネットワーク又は別の通信装置で受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記アクセスネットワーク又は別の通信装置へ送信するようにさせるよう更に構成される、請求項１５から２０のいずれかに記載の装置。
【請求項２２】
前記通信装置からの送信は、前記アクセスネットワークへのアップリンク送信であり、そして前記メモリ及びコンピュータプログラムコードは、プロセッサとで、装置が、前記通信装置においてどのネットワークセルが前記通信装置との最良の無線リンクを示すか決定し、及び前記ネットワークセルを使用して、前記暫定的判断を前記アクセスネットワークに通信するようにさせるよう更に構成される、請求項１５から２１のいずれかに記載の装置。
【請求項２３】
プロセッサと、コンピュータプログラムコードを含むメモリとを備えた装置において、このメモリ及びコンピュータプログラムコードは、プロセッサとで、装置が、アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ようにさせるよう構成された装置。
【請求項２４】
コンピュータにロードされたとき、アクセスネットワークにより管理される無線リソースを経て通信装置からアクセスネットワーク又は別の通信装置への送信に対する１つ以上の送信パラメータに関する暫定的判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ようにコンピュータをコントロールするプログラムコード手段を備えたコンピュータプログラム製品。
【請求項２５】
コンピュータにロードされたとき、アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ようにコンピュータをコントロールするプログラムコード手段を備えたコンピュータプログラム製品。
【発明の詳細な説明】
【技術分野】
【０００１】
本発明は、送信パラメータを判断する技術に関する。
【背景技術】
【０００２】
ある通信システムでは、アクセスネットワークのカバレージ内及びアクセスネットワークにより管理される周波数スペクトル内の通信装置からの無線送信は、送信のための送信パラメータに関する判断をリアルタイムで行うことを含む。
【０００３】
例えば、通信装置からアクセスネットワークへのアップリンク送信の場合に、そのような判断は、通信装置により送信された情報に基づいてアクセスネットワークにおいて行われる。そのような判断を改善する努力は、通信装置からアクセスネットワークへの情報の通信を改善することに集中されている。
【発明の概要】
【０００４】
本発明者は、通信装置からの送信に対する送信パラメータの判断を改善するための新規な解決策を開発した。
【０００５】
従って、アクセスネットワークにより管理される無線リソースを経て通信装置からアクセスネットワーク又は別の通信装置への送信に対する１つ以上の送信パラメータに関する暫定的な判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ことを含む方法が提供される。
【０００６】
１つの実施形態によれば、前記方法は、前記通信装置からの前記送信に対して受信器において、干渉に関して前記アクセスネットワーク又は前記別の通信装置により送信された干渉情報を検出することを含み；及び前記暫定的判断を行うことは、前記アクセスネットワーク又は前記別の通信装置により送信された前記干渉情報に一部分基づく。
【０００７】
１つの実施形態によれば、前記通信装置からの前記送信のための前記受信器は、受信アンテナのアレイを備え、そして前記干渉情報は、前記受信アンテナの各々又はアンテナのグループにおける干渉に関する情報を含む。
【０００８】
１つの実施形態によれば、前記通信装置からの前記送信は、別の通信装置へ送られ、前記方法は、更に、前記送信に対する受信器における干渉に関して前記別の通信装置により送信された干渉情報を検出することを含み；そして前記暫定的判断を行うことは、前記別の通信装置により送信された前記干渉情報に一部分基づく。
【０００９】
１つの実施形態によれば、前記通信装置から前記アクセスネットワーク又は前記別の通信装置への前記送信に対する送信パラメータに関する最終的な判断の前記指示は、前記暫定的な判断と前記最終的な判断との間の相違の指示を含む。
【００１０】
１つの実施形態によれば、前記方法は、更に、前記通信装置から受け取った前記暫定的判断と、１つ以上の他の通信装置から前記アクセスネットワーク又は別の通信装置で受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記アクセスネットワーク又は別の通信装置へ送信することを含む。
【００１１】
１つの実施形態によれば、前記通信装置からの送信は、前記アクセスネットワークへのアップリンク送信であり、そして前記通信装置においてどのネットワークセルが前記通信装置との最良の無線リンクを示すか決定し、及び前記ネットワークセルを使用して、前記暫定的判断を前記アクセスネットワークに通信することを更に含む。
【００１２】
更に、アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ことを含む方法が提供される。
【００１３】
１つの実施形態によれば、前記方法は、前記通信装置からの前記通信に対する受信器における干渉に関する干渉情報を前記アクセスネットワーク又は別の通信装置から送信することを含み、前記干渉情報は、前記暫定的判断を行うときに前記通信装置により使用するものである。
【００１４】
１つの実施形態によれば、前記通信装置からの前記送信に対する前記受信器は、受信アンテナのアレイを備え、そして前記干渉情報は、前記受信アンテナ各々又はアンテナのグループにおける干渉に関する情報を含む。
【００１５】
１つの実施形態によれば、前記通信装置から前記アクセスネットワーク又は別の通信装置への前記送信に対する送信パラメータに関する最終的判断の指示は、前記暫定的判断と前記最終的判断との間の相違の指示を含む。
【００１６】
１つの実施形態によれば、前記方法は、前記通信装置から受け取った前記暫定的判断と、１つ以上の他の通信装置から受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記通信装置から前記アクセスネットワーク又は別の通信装置で受信することを含む。
【００１７】
１つの実施形態によれば、通信装置でどんな暫定的判断がなされるかに関する１つ以上の送信パラメータは、次のもの、即ち、通信装置からの送信に対する物理的リソースブロックの数；通信装置からの送信に対する周波数及び／又は時間リソース；通信装置からの送信に対する変調及びコード化スキーム；通信装置からの送信に対するトランスポートブロックサイズ；通信装置からの送信に対するＭＩＭＯスキーム；通信装置からの送信に対する送信ランク；及び通信装置からの送信に対するプレコーダーベクトル；のうちの１つ以上を含む。
【００１８】
１つの実施形態によれば、通信装置からの送信は、通信装置にサービスするアクセスノードへのアップリンク送信であり、そして通信装置でなされる暫定的判断は、次のもの、即ち、通信装置の送信バッファの現在状態；通信装置と、通信装置にサービスするアクセスノードとの間のリンクの経路ロス推定値；通信装置と、通信装置にサービスするアクセスノードとの間のリンクのチャンネル状態情報；通信装置にサービスするセルの干渉状態；及び通信装置にサービスするセルに隣接する１つ以上のセルにおける干渉状態及び／又はスケジューリングに関する情報；のうちの１つ以上に少なくとも一部分基づいて行われる。
【００１９】
１つの実施形態によれば、通信装置と、通信装置にサービスするアクセスノードとの間のリンクの前記経路ロス推定値；及び通信装置と、通信装置にサービスするアクセスノードとの間のリンクの前記チャンネル状態情報；の１つ以上は、通信装置にサービスするアクセスノードによりなされる送信の、前記通信装置における測定から導出される。
【００２０】
更に、プロセッサと、コンピュータプログラムコードを含むメモリとを備えた装置において、このメモリ及びコンピュータプログラムコードは、プロセッサとで、装置が、アクセスネットワークにより管理される無線リソースを経て通信装置からアクセスネットワーク又は別の通信装置への送信に対する１つ以上の送信パラメータに関する暫定的判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ようにさせるよう構成された装置が提供される。
【００２１】
１つの実施形態によれば、前記メモリ及びコンピュータプログラムコードは、プロセッサとで、装置が、前記通信装置からの前記送信に対して受信器において、干渉に関して前記アクセスネットワーク又は前記別の通信装置により送信された干渉情報を検出するようにさせるよう構成され；及び前記暫定的判断を行うことは、前記アクセスネットワーク又は前記別の通信装置により送信された前記干渉情報に一部分基づく。
【００２２】
１つの実施形態によれば、前記通信装置からの前記送信のための前記受信器は、受信アンテナのアレイを備え、そして前記干渉情報は、前記受信アンテナの各々又はアンテナのグループにおける干渉に関する情報を含む。
【００２３】
１つの実施形態によれば、前記通信装置からの前記送信は、別の通信装置へ送られ、前記メモリ及びコンピュータプログラムコードは、プロセッサとで、装置が、前記送信に対する受信器における干渉に関して前記別の通信装置により送信された干渉情報を検出するようにさせるよう更に構成され；そして前記暫定的判断を行うことは、前記別の通信装置により送信された前記干渉情報に一部分基づく。
【００２４】
１つの実施形態によれば、前記通信装置から前記アクセスネットワーク又は前記別の通信装置への前記送信に対する送信パラメータに関する最終的な判断の前記指示は、前記暫定的な判断と前記最終的な判断との間の相違の指示を含む。
【００２５】
１つの実施形態によれば、前記メモリ及びコンピュータプログラムコードは、プロセッサとで、装置が、前記通信装置から受け取った前記暫定的判断と、１つ以上の他の通信装置から前記アクセスネットワーク又は別の通信装置で受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記アクセスネットワーク又は別の通信装置へ送信するようにさせるよう更に構成される。
【００２６】
１つの実施形態によれば、前記通信装置からの送信は、前記アクセスネットワークへのアップリンク送信であり、そして前記メモリ及びコンピュータプログラムコードは、プロセッサとで、装置が、前記通信装置においてどのネットワークセルが前記通信装置との最良の無線リンクを示すか決定し、及び前記ネットワークセルを使用して、前記暫定的判断を前記アクセスネットワークに通信するようにさせるよう構成される。
【００２７】
更に、プロセッサと、コンピュータプログラムコードを含むメモリとを備えた装置において、このメモリ及びコンピュータプログラムコードは、プロセッサとで、装置が、アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ようにさせるよう構成された装置が提供される。
【００２８】
１つの実施形態によれば、前記メモリ及びコンピュータプログラムコードは、プロセッサとで、装置が、前記通信装置からの前記通信に対する受信器における干渉に関する干渉情報を前記アクセスネットワーク又は別の通信装置から送信することを含み、前記干渉情報は、前記暫定的判断を行うときに前記通信装置により使用するものである。
【００２９】
１つの実施形態によれば、前記通信装置からの前記送信に対する前記受信器は、受信アンテナのアレイを備え、そして前記干渉情報は、前記受信アンテナ各々又はアンテナのグループにおける干渉に関する情報を含む。
【００３０】
１つの実施形態によれば、前記通信装置から前記アクセスネットワーク又は別の通信装置への前記送信に対する送信パラメータに関する最終的判断の前記指示は、前記暫定的判断と前記最終的判断との間の相違の指示を含む。
【００３１】
１つの実施形態によれば、前記メモリ及びコンピュータプログラムコードは、プロセッサとで、装置が、前記通信装置から受け取った前記暫定的判断と、１つ以上の他の通信装置から受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記通信装置から前記アクセスネットワーク又は別の通信装置で受信するようにさせるよう更に構成される。
【００３２】
１つの実施形態によれば、通信装置でどんな暫定的判断がなされるかに関する１つ以上の送信パラメータは、次のもの、即ち、通信装置からの送信に対する物理的リソースブロックの数；通信装置からの送信に対する周波数及び／又は時間リソース；通信装置からの送信に対する変調及びコード化スキーム；通信装置からの送信に対するトランスポートブロックサイズ；通信装置からの送信に対するＭＩＭＯスキーム；通信装置からの送信に対する送信ランク；及び通信装置からの送信に対するプレコーダーベクトル；のうちの１つ以上を含む。
【００３３】
１つの実施形態によれば、通信装置からの送信は、通信装置にサービスするアクセスノードへのアップリンク送信であり、そして通信装置でなされる暫定的判断は、次のもの、即ち、通信装置の送信バッファの現在状態；通信装置と、通信装置にサービスするアクセスノードとの間のリンクの経路ロス推定値；通信装置と、通信装置にサービスするアクセスノードとの間のリンクのチャンネル状態情報；通信装置にサービスするセルの干渉状態；及び通信装置にサービスするセルに隣接する１つ以上のセルにおける干渉状態及び／又はスケジューリングに関する情報；のうちの１つ以上に少なくとも一部分基づいて行われる。
【００３４】
１つの実施形態によれば、通信装置と、通信装置にサービスするアクセスノードとの間のリンクの前記経路ロス推定値；及び通信装置と、通信装置にサービスするアクセスノードとの間のリンクの前記チャンネル状態情報；の１つ以上は、通信装置にサービスするアクセスノードによりなされる送信の、前記通信装置における測定から導出される。
【００３５】
更に、コンピュータにロードされたときに、アクセスネットワークにより管理される無線リソースを経て通信装置からアクセスネットワーク又は別の通信装置への送信に対する１つ以上の送信パラメータに関する暫定的判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ようにコンピュータをコントロールするプログラムコード手段を備えたコンピュータプログラム製品が提供される。
【００３６】
更に、コンピュータにロードされたとき、アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ようにコンピュータをコントロールするプログラムコード手段を備えたコンピュータプログラム製品が提供される。
【００３７】
以下、添付図面を参照して、本発明の実施形態を以下に詳細に説明する。
【図面の簡単な説明】
【００３８】
【図１】本発明の実施形態が具現化されるセルラーネットワークの一例を示す。
【図２】図１のｅＮｏｄｅＢに使用するための装置の一例を示す。
【図３】図１のユーザ装置に使用するための装置の一例を示す。
【図４】本発明の一実施形態による図１のユーザ装置及びｅＮｏｄｅＢの動作の一例を示す。
【図５】本発明の一実施形態による図１のユーザ装置及びｅＮｏｄｅＢの動作の一例を示す。
【発明を実施するための形態】
【００３９】
本発明の実施形態は、Ｅ−ＵＴＲＡＮ規格により動作するセルラーネットワークに関して一例として以下に詳細に説明する。
【００４０】
図１は、本発明の実施形態が具現化されるセルラーネットワークの一例を示す。このセルラーネットワークは、ｅＮｏｄｅＢ（ｅＮＢ）２にトランシーバを伴うセル４を備えている。図１には９個のセル（及びそれらセルに関連した３つのｅＮＢ）しか示されていないが、移動テレコミュニケーションネットワークは、典型的に、数十から数千のセルを備えている。各ｅＮＢ２は、ワイヤードリンクによりコアネットワーク（図示せず）に接続されている。
【００４１】
図２は、ワイヤレスインターフェイスを経て図１のｅＮＢ２と通信するのに使用されるユーザ装置８の一例を示す概略図である。ユーザ装置（ＵＥ）８は、電話コールを発信し及び受信し、データネットワークから及びデータネットワークへデータを受信し及び送信し、そして例えば、マルチメディア又は他のコンテンツを経験する、等の種々のタスクに使用される。
【００４２】
ＵＥ８は、少なくとも、図１のｅＮＢ２へ又はｅＮＢ２から無線信号を送信し又は受信することができる。非限定例として、移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、又はそれらの組み合わせ、等が含まれる。ＵＥ８は、ＵＥ８の適当な無線インターフェイス構成体を経て通信する。インターフェイス構成体は、例えば、無線部及びその関連アンテナ構成体により設けられる。アンテナ構成体は、ＵＥ８の内部又は外部に配置され、そして以下に述べる種類の多層送信スキームで動作できる複数のアンテナを含む。
【００４３】
ＵＥ８には、遂行するように設計されたタスクに使用するための少なくとも１つのデータ処理エンティティ２０３及び少なくとも１つのメモリ又はデータストレージエンティティ２１７が設けられる。データプロセッサ２１３及びメモリ２１７は、適当な回路板２１９及び／又はチップセットに設けられる。
【００４４】
ユーザは、キーパッド２０１、ボイスコマンド、タッチ感知スクリーン又はパッド、その組み合わせ、等の適当なユーザインターフェイスによりＵＥ８の動作をコントロールする。ディスプレイ２１５、スピーカ及びマイクロホンも設けられる。更に、ＵＥ８は、他の装置への適当なコネクタ（ワイヤード又はワイヤレス）を備え、例えば、ハンズフリー装置のような外部アクセサリがそこに接続される。
【００４５】
又、ＵＥ８は、ｅＮＢ２から１つ以上の通信装置へ送信を中継するように構成されたリレーノードでもよい。
【００４６】
図３は、ＵＥ８が位置するセル４にサービスするために図１のｅＮＢ２に使用するための装置の一例を示す。この装置は、高周波信号を受信及び送信するように構成された高周波アンテナアレイ３０１と、この８アンテナアレイ３０１により受信及び送信される高周波信号をインターフェイスするように構成された高周波インターフェイス回路３０３と、データプロセッサ３０６と、を備えている。高周波インターフェイス回路３０３は、トランシーバとしても知られている。又、この装置は、１つ以上の他のネットワークノードへ及びそこから情報を送信し及び受信するところのインターフェイス３０９も備えている。データプロセッサ３０６は、高周波インターフェイス回路３０３からの信号を処理し、適当なＲＦ信号を発生するように高周波インターフェイス回路３０３をコントロールして、ワイヤレス通信リンクを経てＵＥ６へ情報を通信すると共に、インターフェイス３０９を経て他のネットワークノードと情報を交換するように構成される。メモリ３０７は、データプロセッサ３０６により使用するためのデータ、パラメータ及びインストラクションを記憶するのに使用される。
【００４７】
図２及び３の各々に示す前記装置は、以下に述べる本発明の実施形態に直接関与しない更に別の要素も含むことが明らかであろう。
【００４８】
図４及び５は、ＵＥ８ａからのＵＬ送信の一例としての本発明の実施形態を示す。この実施形態は、時分割デュープレクス（ＴＤＤ）システムのためのスケジューリング及びリソース割り当てスキームを含み、ＵＥ８ａからのＵＬ送信に対するスケジューリング機能は、２つの部分に分割され：（１）初期スケジューリングは、ＵＥ８ａにより行われ、そして（２）最終的スケジューリング判断は、ｅＮＢ２ａにより行われる。
【００４９】
ある例によれば、ＵＥ８ａは、次の形式の情報の１つ以上に基づいて初期スケジューリング判断（ステップ４０２）を行う。
（i）ＵＥ８ａにバッファされるデータの量に関する情報；
（ii）ＵＥ８ａとサービングセル４ａのｅＮＢ２ａ受信器との間のアップリンクに対する推定経路ロス情報；
（iii）ＵＥ８ａとサービングセル４ａのｅＮＢ２ａ受信器との間のアップリンクに対するチャンネル状態情報（ＣＳＩ）；
（iv）サービングセル４ａのｅＮＢ２ａ受信器における干渉状態；及び
（v）隣接セル４ｂのアップリンク受信器、及び／又は同じセル４ａ又は隣接セル４ｂの他のＵＥ８ｂにおける干渉に関してＵＥ８ａに入手できる情報。
【００５０】
このＴＤＤシステムにおけるＵＥ８ａとサービングセル４ａのｅＮＢ２ａ受信器との間のアップリンクに対する推定経路ロス情報及びＣＳＩは、サービングセル４ａのｅＮＢ２ａ送信器によりなされた送信の、ＵＥ８ａにおける測定からＵＥ８ａにより導出することができる。例えば、ＵＥ８ａは、チャンネル状態情報をｅＮＢ２ａに与えるためにＵＥ８ａが使用する同じ情報を使用して、サービングセル４ａにおけるダウンリンク送信を構成する。
【００５１】
ＵＥ８ａにおける初期スケジューリング判断を容易にするために、各セル４は、そのセルに対してｅＮＢ受信アンテナで測定された干渉（例えば、熱雑音に対する干渉）のレベル（セル特有及び周波数（／時間）特有のレベル）に関する情報；Ｒｘ側の（最大）干渉レベルに関する計画スケジューリング判断に関する情報；及び電力割り当てに関する情報を送信する。計画スケジューリング判断に関する情報は、例えば、ＵＥ８ａからのＵＬ送信との干渉を引き起こし得る半持続的ＵＬスケジューリング、他のＵＥのポーリング、等に関する情報を含み、その逆のことも言える。
【００５２】
各セル４によって送信される情報は、そのセルのＴＤＤシステムの適用及び／又は計画ＵＬ／ＤＬ比を含む。ＵＬ／ＤＬ比は、ダウンリンクに対してアップリンクに割り当てられる時間リソースの量を指示する。
【００５３】
上述した情報は、ｅＮＢ２により、ブロードキャストシステム情報（ＳＩ）、ビーコンシグナリングの一部分として、又は認知パイロットチャンネルを経て（多数のオペレータの中での共有スペクトル使用の場合）送信され、そしてＵＥ８ａは、サービングセル４ａにより送信された情報、及び隣接セル４ｂにより送信されたこの種の情報を聴取する（ステップ４００）。
【００５４】
又、ＵＥ８は、その受信アンテナで測定された干渉レベルに関する情報も送信し、そして以下に述べるように、ＵＥ８ａは、更に、この情報を、アクセスネットワークにより管理される周波数スペクトルでの他の通信装置への装置対装置（Ｄ２Ｄ）送信のために初期スケジューリング判断に使用する。
【００５５】
サービングセル４ａ、隣接セル４ｂ及び他のＵＥ８ｂからの干渉レベル情報を使用することで、ＵＥ８ａは、初期スケジューリング判断を行うとき干渉状態を適切に良好に考慮し、そしてセル間干渉を良好に回避するように初期スケジューリング判断を良好に最適化することができる。
【００５６】
干渉レベル情報は、次のタイプ：即ち（ａ）測定された干渉レベル（周波数及び／又は時間特有の）；及び（ｂ）予想される干渉レベル（周波数及び／又は時間特有の）の１つである。測定された干渉レベルは、干渉及びノイズの測定値である。
【００５７】
初期スケジューリング判断に基づき、ＵＥ８ａは、サービングｅＮＢ２ａへ送るための仮のリソース要求（ＴＲＲ）メッセージを形成する。このＴＲＲメッセージは、サービングｅＮＢ２ａによりスケジューリング要求として認識される。ＴＲＲメッセージは、ＵＥ８ａにより判断された仮のリソース割り当てを含む。ＴＲＲメッセージは、例えば、ＤＬ送信に対する無線リソースの許可を通信するためにＬＴＥに現在提案されているメッセージフォーマットを採用することができる。どのＵＥ８ａが初期判断をなし且つどの情報エレメントがＴＲＲメッセージに含まれるかに関する送信パラメータは、次のものを含む。
（ａ）アップリンク送信に使用すべき物理的リソースブロック（ＰＲＢ）の数；
（ｂ）アップリンク送信のための周波数及び（／又は）時間リソース；
（ｃ）ＵＬ送信のための変調及びコード化スキーム；
（ｄ）ＵＬ送信のためのトランスポートブロックサイズ；
（ｅ）ＵＬ送信に使用すべき多入力・多出力（ＭＩＭＯ）スキームのタイプ；
（ｆ）ＵＬ送信のための送信ランク；及び
（ｇ）ＵＬ送信のためのプレコーダーベクトル。
【００５８】
ＴＲＲメッセージは、更に、ＵＥ８ａによって行われる初期スケジューリング判断と、１つ以上の他のＵＥ８ｂで行われる１つ以上の初期スケジューリング判断との間に生じることのある対立を解消するためにサービングｅＮＢ２ａにとって有用な情報を含む。付加的な情報は、例えば、ＵＥ８ａのプライオリティ状態に関する情報、及び／又は初期スケジューリング判断を行った接続又はデータである。この付加的な情報は、多数のＵＥ８ａが同じＵＬリソースに要求を出そうとする場合に、受信した初期スケジューリング判断のプライオリティを決めるためにサービングｅＮＢ２ａによって使用される。又、付加的な情報は、サービングｅＮＢ２ａが（初期スケジューリング判断によって定義される）最も好ましいリソースを割り当てできない場合には、別の好ましいリソース割り当てオプション又はチャンネル状態情報を含むこともできる。
【００５９】
又、サービングｅＮＢ２ａは、初期スケジューリング判断から付加的な情報を導出することができる。例えば、サービングｅＮＢ２ａは、ＵＥ８により判断され且つＴＲＲメッセージに指示された変調及びコード化スキーム及び／又はトランスポートブロックサイズからＵＥ８ａにおいてバッファされたデータの量に関する情報を導出することができる。
【００６０】
ＵＥ８ａは、ＴＲＲメッセージをサービングｅＮＢ２ａへ送信する（ステップ４０４）。この送信は、ＵＥ８ａ専用のＵＬリソースを経て行われるか、又はＵＥ８ａ専用ではなくサービングセル４ａによりサービスされる複数のＵＥ８ａに共通に利用できる競合ベースのリソースであるリソースを経て行われる。ＴＲＲメッセージは、ＵＬデータでマルチプレクスすることができ、従って、トランスポートブロックのデータ送信に、次の又は更に別のトランスポートブロックに対する初期スケジューリング判断の指示が添付される。ＴＲＲメッセージに対して既定のフォーマットを定義することができる。
【００６１】
サービングｅＮＢ２ａは、ＴＲＲメッセージを検出する（ステップ４０６）。これは、ＴＲＲメッセージの送信に使用される変調方法に基づいてブラインドデコーディングを伴ってもよいし伴わなくてもよい。ＴＲＲメッセージは、専用のリソースを経て、又は競合ベースの共通リソースを経て送信される。
【００６２】
サービングｅＮＢ２ａは、ＴＲＲメッセージに指示された初期スケジューリング判断に基づき最終スケジューリング判断を行う（ステップ４０８）。サービングｅＮＢ２ａは、サービングセルにおいて複数のＵＥ８からのＵＬ送信を整合して、サービングセル４ａの受信アンテナにおける過剰な干渉を回避するように機能するマルチユーザスケジューラを備えている。サービングｅＮＢ２ａのマルチユーザスケジューラは、ＵＥ８ａからのＴＲＲメッセージで指示された初期スケジューリング判断がサービングセル４ａの他のＵＥ８ｂにより行われた初期スケジューリング判断に適合し、且つサービングｅＮＢ２ａにより行われた他のスケジューリング判断にも適合するかどうか決定する。簡単な実施形態では、サービングｅＮＢ２ａは、（i）初期スケジューリング判断を受け容れそしてその初期スケジューリング判断に従ってＵＬリソースをＵＥ８ａに割り当てるか、又は（ii）初期スケジューリング判断が、他のＵＥ８ｂからのＴＲＲメッセージ及びサービングｅＮＢ２ａによりなされる他のスケジューリング判断との適合性について所定の条件を満足しない場合には、スケジューリング要求に応答してＵＥ８ａにＵＬリソースを割り当てることはない。より精巧な実施形態では、サービングｅＮＢ２ａは、（ａ）初期スケジューリング判断を確認するか、又は（ｂ）ＵＥ８ａが初期スケジューリング判断を行ったときの１つ以上の送信パラメータへの変更を判断する。この最終的なスケジューリング判断は、複数のＵＥ８間でのＵＬリソースの共有について注意を払う。
【００６３】
サービングｅＮＢ２ａは、最終スケジューリング判断を指示するスケジューリング許可メッセージをＵＥ８ａに送信する（ステップ４１０）。
【００６４】
スケジューリング許可メッセージを設計するための種々の方法がある。例えば、初期スケジューリング許可判断の送信を伴わない既存の技術に対する標準として指定された既存のフォーマットを使用するか、又は異なるフォーマットを使用することが考えられる。例えば、縮小サイズのスケジューリング許可メッセージは、サービングｅＮＢ２ａにより行われた最終スケジューリング判断がＵＥ８ａにより行われた初期スケジューリング判断とどのように相違するかをスケジューリング許可メッセージに指示することでしか達成できない。他方、既存の標準フォーマットの使用は、システムの複雑さが低いという効果がある。
【００６５】
上述した非常に簡単な実施形態では、サービングｅＮＢ２ａは、初期スケジューリング判断によりスケジューリング許可を行うべきか又はスケジューリング許可を行うべきでないかの最終的判断の結果を通信するために簡単なＡＣＫ／ＮＡＣＫシグナリングを使用することができる。
【００６６】
上述したより精巧な実施形態では、ＵＥ８ａ及びサービングｅＮＢ２ａの両方に事前に記憶された所定のルックアップテーブルにおいて初期スケジューリング判断と最終スケジューリング判断との間の考えられる相違の各々に対してマップされたインデックス番号を使用して、初期スケジューリング判断と最終スケジューリング判断との間の相違の効率的な通信を達成することができる。
【００６７】
最終スケジューリング許可は、物理的ダウンリンクコントロールチャンネル（例えば、ＰＤＣＣＨ）を経て送信される。ダウンリンクコントロールチャンネル送信は、例えば、送信に対するプレコードベクトル／マトリクスの明確な指示及び非プレコード化基準信号に基づいてＵＥ８ａにおいて復調されるマルチアンテナプレコード化送信であるか、又は最終スケジューリング許可情報を含むビット流から発生される記号と同じプレコーディングを基準信号に受けさせる改善型送信モードである。
【００６８】
ＵＥ８ａは、最終スケジューリング許可を検出し（ステップ４１２）、そしてその最終スケジューリング許可に基づいてＵＬデータ送信を行う（ステップ４１４）。
【００６９】
上述した技術に対する１つの考えられる拡張は、ＵＥ８ａにとってどのセルが最良の無線状態にあるかＵＥ８ａが決定すると共に、そのセル（サービングセルであってもなくてもよい）にＴＲＲメッセージを送信することである。以下に述べるように、前記技術は、ＵＥからアクセスネットワークに向かうマルチホップアップリンク送信の一部分としてのＤ２Ｄ送信を含めて、２つのＵＥ間の送信にも使用することができる。ＵＥは、アクセスネットワークに向かうマルチホップ送信の１つのホップに複数の隣接ＵＥのどの１つを使用すべきか決定するときに無線状態を考慮し、次いで、その選択された隣接ＵＥへＴＲＲメッセージを送信することができる。
【００７０】
上述した技術において、他のＵＥ８ｂによって送信されるダウンリンク送信の測定及び干渉情報を初期スケジューリング判断に使用することで、ＴＤＤシステムにおけるチャンネル往復性の利用を改善し且つ分布セル間干渉コントロール（ＩＣＩＣ）機能をサポートすることができる。
【００７１】
上述した技術では、ＵＥ８ａにおいて初期スケジューリング判断を実行することでより正確なＵＬリソース割り当てが可能となる。というのは、スケジューリング判断を実行するＵＬデータ送信に時間的に接近して、スケジューリング判断を行うことができるからである。例えば、スケジューリング判断は、例えば、ＵＥバッファ状態及び経路ロスに関する情報で行うことができ、これは、ＵＥにおいてそのような情報を準備するときと、そのような情報に基づいてアクセスネットワークでスケジューリング判断を行うときとの間に著しい量の遅延が発生するシステムにおいて可能であるよりリアルタイムに近い。
【００７２】
上述した技術では、ＵＥ８ａにおいて初期スケジューリング判断を行うと、ＵＥが個別の音声基準信号及び電力あき高レポートをｅＮＢに送信する必要性を減少することで、アップリンクシグナリングオーバーヘッドを減少することができる。
【００７３】
上述した技術では、初期スケジューリング判断と最終スケジューリング判断との間の相違の指示として最終スケジューリング許可メッセージを構成することで（又は上述した最も簡単な実施形態では、初期スケジューリング判断がサービングｅＮＢ２ａによって受け容れられるかどうかの簡単なバイナリ指示（ＡＣＫ／ＮＡＣＫ）として最終スケジューリング許可の通信を構成することで）、ダウンリンクシグナリングオーバーヘッドを減少することができる。
【００７４】
前記詳細な説明は、ＵＥからｅＮＢへのアップリンク送信の一例として述べられたものである。しかしながら、その同じ種類の技術を１つのＵＥから別のＵＥへのＤ２Ｄ送信にも使用することができ、この場合、初期スケジューリング判断は、送信を行うべきＵＥによってなされ、そして初期スケジューリング判断に関連した送信を受け取るＵＥへ送信される。又、その同じ種類の技術は、ｅＮＢ間の送信にも使用でき、この場合、初期スケジューリング判断は、送信を行うべきｅＮＢによってなされ、そして初期スケジューリング判断に関連した送信を受け取るｅＮＢへ送信される。
【００７５】
上述した動作は、種々のエンティティにおけるデータ処理を要求する。データ処理は、１つ以上のデータプロセッサにより行われる。同様に、前記実施形態で述べた種々のエンティティは、単一又は複数のデータ処理エンティティ及び／又はデータプロセッサ内で具現化される。コンピュータにロードされたとき、前記実施形態を具現化するために、適切に適応されたコンピュータプログラムコード製品が使用される。動作を行うためのプログラムコード製品は、キャリアディスク、カード又はテープのようなキャリア媒体に記憶され及びそれにより提供される。データネットワークを経てプログラムコード製品をダウンロードすることができる。サーバーに適当なソフトウェアが設けられて具現化される。
【００７６】
例えば、本発明の実施形態は、チップセットとして、換言すれば、互いに通信する一連の集積回路として、具現化することができる。チップセットは、コードを実行するように構成されたマイクロプロセッサ、特定用途向け集積回路（ＡＳＩＣ）、又は上述した動作を遂行するためのプログラム可能なデジタル信号プロセッサを含む。
【００７７】
本発明の実施形態は、集積回路モジュールのような種々のコンポーネントにおいて具現化される。集積回路の設計は、全般的に、高度に自動化されたプロセスである。論理レベル設計を、半導体基板上にエッチングして形成する準備のできた半導体回路設計へと変換するために、複雑で且つパワフルなソフトウェアツールを入手することができる。
【００７８】
カリフォルニア州マウンテンビューのシノプシス社、及びカリフォルニア州サンノセのケイデンスデザイン社により提供されるもののようなプログラムは、充分に確立された設計ルール及び事前に記憶された設計モジュールのライブラリを使用して半導体チップ上に自動的に導体を引き回しそしてコンポーネントを配置する。半導体回路の設計が完了すると、出来上がった設計は、標準電子フォーマット（例えば、Ｏｐｕｓ、ＧＤＳＩＩ、等）において、半導体製造ファシリティ又は“ｆａｂ”へ製造のために送信される。
【００７９】
前記で明確に述べた変更に加えて、当業者であれば、前記実施形態の種々の他の変形も本発明の範囲内に包含されることが明らかであろう。
【符号の説明】
【００８０】
２：ｅＮｏｄｅＢ（ｅＮＢ）
４：セル
８：ユーザ装置（ＵＥ）
２０１：キーパッド
２０３：データ処理エンティティ
２１３：データプロセッサ
２１５：ディスプレイ
２１７：メモリ
２１９：回路板
３０１：高周波アンテナアレイ
３０３：高周波インターフェイス回路
３０６：データプロセッサ
３０７：メモリ
３０９：インターフェイス
【図１】
2015528653.tif 000003
【図２】
2015528653.tif 000004
【図３】
2015528653.tif 000005
【図４】
2015528653.tif 000006
【図５】
2015528653.tif 000007
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
アクセスネットワークにより管理される無線リソースを経て通信装置からアクセスネットワーク又は別の通信装置への送信に対する１つ以上の送信パラメータに関する暫定的な判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的な判断の指示を、前記アクセスネットワーク又は前記別の通信装置から受け取る；ことを含む方法。
【請求項２】
前記通信装置からの前記送信に対して受信器において、干渉に関して前記アクセスネットワーク又は前記別の通信装置により送信された干渉情報を検出することを含み；及び前記暫定的判断を行うことは、前記アクセスネットワーク又は前記別の通信装置により送信された前記干渉情報に一部分基づく、請求項１に記載の方法。
【請求項３】
前記通信装置からの前記送信のための前記受信器は、受信アンテナのアレイを備え、そして前記干渉情報は、前記受信アンテナ各々又はアンテナのグループにおける干渉に関する情報を含む、請求項２に記載の方法。
【請求項４】
前記通信装置からの前記送信は、別の通信装置へ送られ、更に、前記送信に対する受信器における干渉に関して前記別の通信装置により送信された干渉情報を検出することを含み；及び前記暫定的判断を行うことは、前記別の通信装置により送信された前記干渉情報に一部分基づく、請求項１から３のいずれかに記載の方法。
【請求項５】
前記通信装置から前記アクセスネットワーク又は前記別の通信装置への前記送信に対する送信パラメータに関する最終的な判断の前記指示は、前記暫定的な判断と前記最終的な判断との間の相違の指示を含む、請求項１から４のいずれかに記載の方法。
【請求項６】
アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ことを含む方法。
【請求項７】
前記通信装置からの前記通信に対する受信器における干渉に関する干渉情報を前記アクセスネットワーク又は別の通信装置から送信することを含み、前記干渉情報は、前記暫定的判断を行うときに前記通信装置により使用するものである、請求項６に記載の方法。
【請求項８】
前記通信装置からの前記送信に対する前記受信器は、受信アンテナのアレイを備え、そして前記干渉情報は、前記受信アンテナ各々又はアンテナのグループにおける干渉に関する情報を含む、請求項７に記載の方法。
【請求項９】
前記通信装置から前記アクセスネットワーク又は別の通信装置への前記送信に対する送信パラメータに関する最終的判断の指示は、前記暫定的判断と前記最終的判断との間の相違の指示を含む、請求項６から８のいずれかに記載の方法。
【請求項１０】
前記通信装置から受け取った前記暫定的判断と、１つ以上の他の通信装置から受け取った１つ以上の他の暫定的判断、又は前記アクセスネットワーク又は別の通信装置でなされた別のスケジューリング判断との間の対立の、前記アクセスネットワーク又は別の通信装置での解決を容易にする情報を、前記通信装置から前記アクセスネットワーク又は別の通信装置で受信することを含む、請求項６から９のいずれかに記載の方法。
【請求項１１】
通信装置と、通信装置にサービスするアクセスノードとの間のリンクの前記経路ロス推定値；及び通信装置と、通信装置にサービスするアクセスノードとの間のリンクの前記チャンネル状態情報；の１つ以上は、通信装置にサービスするアクセスノードによりなされる送信の、前記通信装置における測定から導出される、請求項６から１０のいずれかに記載の方法。
【請求項１２】
プロセッサと、コンピュータプログラムコードを含むメモリとを備えた装置において、このメモリ及びコンピュータプログラムコードは、プロセッサとで、装置が、アクセスネットワークにより管理される無線リソースを経て通信装置からアクセスネットワーク又は別の通信装置への送信に対する１つ以上の送信パラメータに関する暫定的判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ようにさせるよう構成された装置。
【請求項１３】
前記メモリ及びコンピュータプログラムコードは、プロセッサとで、装置が、前記通信装置からの前記送信に対して受信器において、干渉に関して前記アクセスネットワーク又は前記別の通信装置により送信された干渉情報を検出するようにさせるよう更に構成され；及び前記暫定的判断を行うことは、前記アクセスネットワーク又は前記別の通信装置により送信された前記干渉情報に一部分基づく、請求項１２に記載の装置。
【請求項１４】
前記通信装置からの前記送信のための前記受信器は、受信アンテナのアレイを備え、そして前記干渉情報は、前記受信アンテナの各々又はアンテナのグループにおける干渉に関する情報を含む、請求項１３に記載の装置。
【請求項１５】
前記通信装置からの前記送信は、別の通信装置へ送られ、前記メモリ及びコンピュータプログラムコードは、プロセッサとで、装置が、前記送信に対する受信器における干渉に関して前記別の通信装置により送信された干渉情報を検出するようにさせるよう更に構成され；そして前記暫定的判断を行うことは、前記別の通信装置により送信された前記干渉情報に一部分基づく、請求項１２から１４のいずれかに記載の装置。
【請求項１６】
前記通信装置から前記アクセスネットワーク又は前記別の通信装置への前記送信に対する送信パラメータに関する最終的な判断の前記指示は、前記暫定的な判断と前記最終的な判断との間の相違の指示を含む、請求項１２から１５のいずれかに記載の装置。
【請求項１７】
プロセッサと、コンピュータプログラムコードを含むメモリとを備えた装置において、このメモリ及びコンピュータプログラムコードは、プロセッサとで、装置が、アクセスネットワークにより管理される無線リソースを経て通信装置からアクセスネットワーク又は別の通信装置への送信に対する１つ以上の送信パラメータに関して前記通信装置でなされる暫定的判断に関する通信を前記アクセスネットワーク又は別の通信装置において前記通信装置から受け取り；前記アクセスネットワーク又は別の通信装置により初期スケジューリング判断をどの程度受け入れられるか決定し；及び前記通信装置から前記アクセスネットワーク又は別の通信装置への前記送信に対する送信パラメータに関する最終的判断の指示を前記通信装置へ送信する；ようにさせるよう構成された装置。
【請求項１８】
コンピュータにロードされたとき、アクセスネットワークにより管理される無線リソースを経て通信装置からアクセスネットワーク又は別の通信装置への送信に対する１つ以上の送信パラメータに関する暫定的判断を通信装置において行い；前記暫定的判断を前記アクセスネットワーク又は前記別の通信装置へ通信し；及び前記通信装置から前記アクセスネットワーク又は別の通信装置への前記送信に対する送信パラメータに関する最終的判断の指示を、前記アクセスネットワーク又は前記別の通信装置から受け取る；ようにコンピュータをコントロールするプログラムコード手段を備えたコンピュータプログラム。
【国際調査報告】
2015528653.tif 000008
2015528653.tif 000009
2015528653.tif 000010